(57)【要約】      （修正有）【課題】ファクス利用でのカタログ通販で必要ないずれゴミとなるファクス用紙の他、送信者及び受信者の手作業、汚い文字や誤字脱字や誤記入などの際の手間を不要とする。カタログデータにＱＲコード（登録商標）を用いても必要な発注者の個人情報の手作業での入力を不要とする。【解決手段】あらかじめ氏名や自宅住所等が本体に登録された２次元バーコード読取装置で電話番号・カタログデータ等を含んだ２次元バーコードを読み取り、簡単な操作で相手先にデータを送り出す装置と、受け取ったデータを処理する装置とを組み合わせたシステムを利用する。【選択図】図１
2010262616.tif 000002
【特許請求の範囲】
【請求項１】
従来のＱＲコードと呼ばれる２次元バーコードの形状とは明らかに違う形、たとえば三角形や五角形など操作者が容易に他のコードと識別可能で文字情報に復号化可能な図形のうち、送信すべき宛先データを含む２次元バーコード
【請求項２】
請求項１のバーコードを取得し、宛先に送信するための装置のうち、本体内に送信プログラムを有する装置のうち、操作者の操作部として読み取りボタンと送信ボタンもしくはそれらの複合ボタン、もしくはそれ以外に取り消しボタン程度の操作しかできない装置のうち、内蔵メモリ内に操作者の住所等の個人情報を保持する装置のうち、操作者では容易に個人情報やプログラム等のデータを変更できない２次元バーコード利用電信装置
【請求項３】
請求項２のうち固定電話回線を利用する物
【請求項４】
請求項２のうちインターネット回線を利用する物
【請求項５】
請求項３及び請求項４により送られてきたデータを処理する２次元バーコード利用電信装置もしくはプログラムもしくはそれらの組み合わせにより構成される２次元バーコード利用電信装置
【請求項６】
請求項１を記載したカタログ等のチラシ及び書籍及びホームページ
【請求項７】
請求項５及び請求項６を利用し商品を流通させるビジネスモデル
【請求項８】
請求項６を配布する会員の識別番号が含まれる請求項１を記載した請求項３もしくは請求項４による発注による利益がポイントとなり、会員に対価が支払われるビジネスモデル
【発明の詳細な説明】
【技術分野】
【０００１】本発明は通信及びビジネスに関する
【背景技術】
【０００２】  従来のファクス利用でのカタログ通販ではいずれゴミとなるファクス用紙が必要であるという不経済さがある。さらに、送信者及び受信者ともに手作業が必要というわずらわしさがある。また、汚い文字や誤字脱字や誤記入などの際に手間がかかっていた。
ＱＲコードと呼ばれる２次元バーコードは瞬時に文字入力ができることで知られている。
カタログ内のバーコードなどによる情報伝達で読み取られた情報以外で宛先の相手に伝わるデータのうち、操作者の操作に寄らない情報と言えば、操作者の電話番号もしくはＩＰアドレスや呼び出しプログラム固有の情報や装置のＩＤ番号程度のものが主流であった。
従来のバーコード利用装置やファックスは機能が多い分、操作手順が複雑になり、操作しにくいものが多かった。
【特許文献１】特許出願２００７−２１４０４５
【発明の開示】
【発明が解決しようとする課題】
【０００３】  カタログ通販などで従来のファックスによる個人情報を含む文字情報の通信手段は文字を画像として扱うため、送信側及び受信側で必要以上に時間と手間と消耗品などの経費がかかってしまう。
【課題を解決するための手段】
【０００４】  通信販売等のカタログ内に宛先情報を含むバーコードを記載する【０００５】  装置として、カタログ内のバーコード以外に相手先に伝えるための個人情報をあらかじめ保持しており、操作部には読み取りボタンと送信ボタンと取り消しボタン程度しかなく、単純な操作でカタログ通信販売等に必要な情報を通信可能な装置を用意する。【０００６】  上記装置を電話回線もしくはインターネット回線に接続する
【発明の効果】
【０００７】  送信側にて操作ステップが単純化でき、簡単で操作時間の短縮が図れる【０００８】  送信側及び受信側双方にて用紙等の資源を消費しないですむ【０００９】  送信側及び受信側双方にてファックスに比べ通信時間が大幅に短縮可能【００１０】  送信側及び受信側双方にて入力ミスを少なくできる【００１１】  送信側及び受信側双方にてファックスに比べ駆動部分が少ないので機械的故障の減少につながる【００１２】  受信側にてファックスに比べ手続きのオートメーション化が容易になる
作業が不要になる。
【発明を実施するための最良の形態】
【００１３】  本発明は図１のようにＮＴＴ回線等に繋いで利用する。【００１４】  また図２のようにインターネット回線に繋いでもよい。【００１５】  図３▲１▼は本発明である２次元バーコード利用電信装置本体を表す。操作者である消費者は本発明の装置購入時に、販売スタッフの作業により個人情報を本発明の装置に記録する手続きを取る【００１６】  図３▲２▼はバーコードを読み取るためのスキャナ部分である。操作者である消費者は本発明で読み取り可能なバーコードを記載したカタログのバーコード部分を▲２▼のスキャナ部分に捕らえ、▲３▼の読み取りボタンで読み取ると、正常に読み取ることができれば▲５▼に読み取られたデータが表示され▲６▼のランプが１つ点灯する。▲４▼の送信ボタンにより読み取られたデータを元に、宛先に対してバーコード情報と本体にあらかじめ記憶された送信者の住所などの個人情報を送信する。【００１７】  図４は受信側のフローチャートの例である。操作者である消費者によって送られてきた情報を元に、発注内容が生産者に送られ、生産者は送られてきた情報を元に生産物である商品を消費者に届ける。カタログの属性が銀行振り込みなどの手続きを要する属性であれば、手続き確認のための仲介業者に情報を転送する。
【図１】
2010262616.tif 000003
【図２】
2010262616.tif 000004
【図３】
2010262616.tif 000005
【図４】
2010262616.tif 000006
【手続補正書】
【提出日】平成21年7月13日(2009.7.13)
【手続補正１】
【補正対象書類名】明細書
【補正対象項目名】全文
【補正方法】変更
【補正の内容】
【発明の詳細な説明】
【技術分野】
【０００１】本発明は通信及びビジネスに関する
【背景技術】
【０００２】  従来のファクス利用でのカタログ通販ではいずれゴミとなるファクス用紙が必要であるという不経済さがある。さらに、送信者及び受信者ともに手作業が必要というわずらわしさがある。また、汚い文字や誤字脱字や誤記入などの際に手間がかかっていた。
ＱＲコードと呼ばれる２次元バーコードは瞬時に文字入力ができることで知られている。
カタログ内のバーコードなどによる情報伝達で読み取られた情報以外で宛先の相手に伝わるデータのうち、操作者の操作に寄らない情報と言えば、操作者の電話番号もしくはＩＰアドレスや呼び出しプログラム固有の情報や装置のＩＤ番号程度のものが主流であった。
従来のバーコード利用装置やファックスは機能が多い分、操作手順が複雑になり、操作しにくいものが多かった。
従来のファックスは駆動部分やメカニカルな部分や隙間が多く、虫が入るなどして故障もしくは動作不良を起こす場合があった
【特許文献１】特許出願２００７−２１４０４５
【発明の開示】
【発明が解決しようとする課題】
【０００３】字情報の通信手段は文字を画像として扱うため、送信側及び受信側で必要以上に時間と手間と消耗品などの経費がかかってしまう。
【課題を解決するための手段】
【０００４】  通信販売等のカタログ内に宛先情報を含むバーコードを記載する【０００５】  装置として、カタログ内のバーコード以外に相手先に伝えるための個人情報をあらかじめ保持しており、操作部には読み取りボタンと送信ボタンと取り消しボタン程度しかなく、単純な操作でカタログ通信販売等に必要な情報を通信可能な装置を用意する。【０００６】  上記装置を電話回線もしくはインターネット回線に接続する
【発明の効果】
【０００７】  送信側にて操作ステップが単純化でき、簡単で操作時間の短縮が図れる【０００８】  送信側及び受信側双方にて用紙等の資源を消費しないですむ【０００９】  送信側及び受信側双方にてファックスに比べ通信時間が大幅に短縮可能【００１０】  送信側及び受信側双方にて入力ミスを少なくできる【００１１】  送信側及び受信側双方にてファックスに比べ駆動部分が少ないので機械的故障の減少につながる【００１２】  受信側にてファックスに比べ手続きのオートメーション化が容易になる【００１３】  専用レシートプリンタを開発すれば商品情報の確認及び振込指定先の通知、さらにはコンビに決済用のレシート発行システムなど、更なる発展も期待できる。
【発明を実施するための最良の形態】
【００１４】  本発明は図１のようにＮＴＴ回線等に繋いで利用する。【００１５】  また図２のようにインターネット回線に繋いでもよい。【００１６】  図３▲１▼は本発明である２次元バーコード利用電信装置本体を表す。
操作者である消費者は本発明の装置購入時に、販売スタッフの作業により個人情報を本発明の装置に記録する手続きを取る【００１７】  図３▲２▼はバーコードを読み取るためのスキャナ部分である。操作者である消費者は本発明で読み取り可能なバーコードを記載したカタログのバーコード部分を▲２▼のスキャナ部分に捕らえ、▲３▼の読み取りボタンで読み取ると、正常に読み取ることができれば▲５▼に読み取られたデータが表示され▲６▼のランプが１つ点灯する。▲４▼の送信ボタンにより読み取られたデータを元に、宛先に対してバーコード情報と本体にあらかじめ記憶された送信者の住所などの個人情報を送信する。【００１８】消費者によって送られてきた情報を元に、発注内容が生産者に送られ、生産者は送られてきた情報を元に生産物である商品を消費者に届ける。カタログの属性が銀行振り込みなどの手続きを要する属性であれば、手続き確認のための仲介業者に情報を転送する。
この受信処理側のフロチャートの例では銀行振込みによる先払いも想定しており、振込みを確認する仲介業者が存在することを表している。
カタログ情報としてカタログを配布するエージェントの番号情報によりエージェントにポイントを与えるシステムを使っているのであれば、エージェントへのポイントの加算処理も追加される
【図面の簡単な説明】
【００１９】
【図１】本発明の電話回線への接続を示した概念図である
【図２】本発明のインターネット回線への接続を示した概念図である
【図３】本発明の大まかな形状を示した概念図である
【図４】本発明を利用した処理側のプログラムに関する大まかなフロチャートの簡易概念図である
【符号の説明】
【００２０】      ▲１▼本発明本体
▲２▼上部から覗くことのできるＣＣＤを用いたコード読み取り部分
▲３▼起動スイッチを兼ねた読み取りボタン
▲４▼送信ボタン
▲５▼データ表示用ディスプレイ
▲６▼データ有表示ランプ兼選択ボタン
▲７▼消去ボタン兼電源オフスイッチ